(57)【要約】【課題】  原稿読取位置から原稿排紙側に向かって屈曲した搬送経路を有する原稿読取装置において、原稿にジャム等が生じることなく、原稿を前記搬送経路に沿ってスムーズに搬送させるとともに、プラテンから原稿をガイド部材によってすくい上げる際や原稿が排出ローラ対に進入する際に生じる衝撃、及び原稿の弛みを確実に低減し、原稿画像のブレや歪みを防止することのできる原稿読取装置を提供することである。【解決手段】  原稿を読み取るためのプラテン１ａと、このプラテン１ａから原稿をすくい上げて原稿排紙手段に向けて案内する傾斜ガイド２７との屈曲部３２（移行部分）に原稿の浮き上がりを規制する規制ローラ３４ｂ（原稿規制部材）を配置し、この規制ローラ３４ｂを前記プラテン１ａ面に対する垂線ｈ１と傾斜ガイド２７の案内面２８に対する垂線ｈ２とが交差することによってできる角度θの範囲内で前記屈曲部３２に向けて押圧可能に設置した。【選択図】      図６
2008054088.tif 000002
【特許請求の範囲】
【請求項１】
原稿を読み取るためのプラテンと、該プラテンの上流側に配置される原稿給紙手段と、前記プラテンの下流側に配置される原稿排紙手段と、前記プラテンから原稿をすくい上げて前記原稿排紙手段に向けて案内する傾斜ガイドとを備えた原稿読取装置において、
前記プラテンと傾斜ガイドとの移行部分には原稿の浮き上がりを規制する原稿規制部材が配置され、この原稿規制部材が前記プラテン面に対する垂線と傾斜ガイド面に対する垂線とが交差することによってできる角度θの範囲内で前記移行部分に向けて押圧可能であることを特徴とする原稿読取装置。
【請求項２】
原稿を読み取るためのプラテンと、該プラテンの上流側に配置される原稿給紙手段と、前記プラテンの下流側に配置される原稿排紙手段と、前記プラテンから原稿をすくい上げて前記原稿排紙手段に向けて案内する傾斜ガイドとを備えた原稿読取装置において、
前記プラテンと傾斜ガイドとの移行部分に対向して配置する原稿規制部材と、該原稿規制部材を前記移行部分側に付勢する付勢手段と、前記原稿規制部材を原稿搬送方向に揺動可能に支持する支持手段とを設け、
前記原稿規制部材の付勢方向が前記プラテン面に対する垂線と傾斜ガイド面に対する垂線とが交差することによってできる角度θの範囲内となるように、前記付勢手段が配設されることを特徴とする原稿読取装置。
【請求項３】
前記原稿規制部材、前記支持手段及び前記付勢手段が一つのユニットによって構成され、このユニットが前記プラテンと、前記傾斜ガイドに対向して設けられるガイド板に取り付けられることを特徴とする請求項２記載の原稿読取装置。
【請求項４】
原稿を読み取るためのプラテン及びこのプラテンに連接して設けられ、該プラテンに対して傾斜する傾斜ガイドを有する本体ユニットと、
前記プラテンに原稿を供給する原稿給紙手段及び前記プラテン上を通過した後に前記傾斜ガイドを介して送られる原稿を排紙する原稿排紙手段を有する原稿搬送ユニットと、
該原稿搬送ユニットを前記本体ユニットの前記プラテン面に対して開閉自在に支持するヒンジ手段とを備えた原稿読取装置において、
前記プラテンと前記傾斜ガイドとの移行部分において原稿を規制する原稿規制部材と、該原稿規制部材を前記移行部分側に付勢する付勢手段と、前記原稿規制部材を原稿搬送方向に揺動可能に支持する支持手段とを設け、
前記原稿規制部材の付勢方向が前記プラテン面に対する垂線と傾斜ガイド面に対する垂線とが交差することによってできる角度θの範囲内となるように前記付勢手段が配設され、
前記原稿搬送ユニットが前記本体ユニットに対して閉状態となる際に前記原稿規制部材が前記プラテンと前記傾斜ガイドとの連接部に対向した位置に移動可能とするように前記支持手段によって支持されることを特徴とする原稿読取装置。
【発明の詳細な説明】
【技術分野】
【０００１】
本発明は、複写機やファクシミリなど光学系の読取部を備えた原稿読取装置に係り、特に読取処理後の原稿をスムーズに原稿排紙部に向けて搬送させるための原稿規制部材を備えた原稿読取装置に関するものである。
【背景技術】
【０００２】
従来、この種の原稿読取装置は、原稿給紙部から原稿を１枚ずつ繰り出して、原稿読取位置に自動的に供給するＡＤＦ（オートマチック・ドキュメント・フィーダ）と称される原稿搬送装置と、前記読取位置に搬送されてくる原稿の画像を光学的な読取手段によって読み取る原稿読取装置本体とを備えている。そして、原稿読取装置本体上面には、原稿搬送装置によって送られる原稿を読み取るための第１のプラテンガラスと静止した原稿を読み取るための第２のプラテンガラスとが設けられており、原稿搬送装置は第２のプラテンガラスに原稿を載せるために原稿読取装置本体上面に対して開閉自在にヒンジ装置によって取り付けられている。
【０００３】
前記原稿読取部では、原稿給紙部から順次搬送されてくる原稿を読み取るべく、走査手段が設けられている。この走査手段としては、例えばプラテン上を通過する原稿に光を照射し、この反射光を集光レンズによって集光してＣＣＤラインセンサで読み取るものやプラテン上を通過する原稿に光を照射し、この反射光を集光することなく密着センサによって直接読み取るものなどがある。
【０００４】
一般的な原稿読取装置は、原稿読取位置から排紙側に向かって湾曲した搬送経路が形成されている。また、プラテンの前後に供給ローラ対と排出ローラ対が設けられており、原稿読取位置の下流側にはプラテン上で読み取られた原稿の先端を上方にすくい上げて排出ローラ対に案内するためのガイド部材が設けられている。従来においては、このような湾曲した搬送経路を搬送されてくる原稿を走査する場合、プラテンから原稿をガイド部材によってすくい上げる際の衝撃や原稿が排出ローラ対に進入する際の衝撃が読取画像に影響を与え、画像ぶれ等の問題が発生していた。特に原稿の先端がガイド部材や排出ローラ対に衝突する際に原稿が搬送方向とは反対方向の反力が付与され、読み取り位置で原稿が一瞬止まったような現象となり、読取画像に歪みが生じるといった問題がある。さらに、上述したガイド部材や搬出ローラへの衝突によって原稿に搬送経路内の経路屈曲部の空間や段差部の空間で弛みが生じることとなり、この弛みは供給ローラ対と排出ローラ対とに挟持されて原稿が搬送される状態では維持されるので画像に影響はないが、原稿の後端が供給ローラを抜けると原稿の弛みを解消するために原稿の先端側のみが搬送され、後端側が停止した状態となるので、原稿画像に大きな歪みが生じ、重大な問題となっていた。
【０００５】
このような、問題点を解決するものとして、プラテンの上面から前記ガイド部材の案内面に沿って可撓性のフィルム部材を設け、プラテン上面からガイド部材に至る間の屈曲部で原稿を押圧するものが知られている（特許文献１、２参照）。
【０００６】
一方、原稿を読取位置下流側のプラテン上の平面内に原稿を押圧する押圧ローラを設け、原稿搬送方向下流側での原稿衝撃の影響を抑止するものがある（特許文献３参照）。
【特許文献１】特開２００３−８７５１０号公報
【特許文献２】特開２００１−３０９１１８号公報
【特許文献３】特開平１１−２５８８６９号公報
【発明の開示】
【発明が解決しようとする課題】
【０００７】
しかしながら、フィルム部材を用いた装置においては、フィルム部材の押圧力によって搬送負荷が生じるため、原稿の先端側がフリーの状態でフィルム部材に押圧されて送られる際と、原稿先端が排出ローラ対に挟持されて送られる際とでは原稿の搬送速度が若干異なる。この原稿の搬送速度差は読み取り画像に影響を与える。特に、フィルム部材の押圧力が大きいと薄紙等のコシの弱い原稿がスムーズに原稿が搬送できず、原稿ジャム等の問題が生じる。
【０００８】
また、原稿を押圧する部材として押圧ローラを採用している装置においては、フィルム部材に対して摺動抵抗が小さいため、原稿はスムーズに搬送されるが、部品の取り付け公差などからプラテンとガイド部材との屈曲部にローラを位置付けることが困難である。特に、読取装置本体に対して原稿搬送装置を取り付ける際に、読み取り手段の読み取りラインに対して原稿搬送方向が垂直となるように原稿搬送装置を調整するため、プラテンに当接する押圧ローラの位置がばらつき、確実に屈曲部で原稿を規制することができない。
【０００９】
そこで、本発明の目的は、原稿読取位置から原稿排紙側に向かって屈曲した搬送経路を有する原稿読取装置において、原稿にジャム等が生じることなく、原稿を前記搬送経路に沿ってスムーズに搬送させるとともに、プラテンから原稿をガイド部材によってすくい上げる際や原稿が排出ローラ対に進入する際に生じる衝撃、及び原稿の弛みを確実に低減し、原稿画像のブレや歪みを防止することのできる原稿読取装置を提供することを目的とする。
【課題を解決するための手段】
【００１０】
上記課題を解決するために、本発明の原稿読取装置は、原稿を読み取るためのプラテンと、該プラテンの上流側に配置される原稿給紙手段と、前記プラテンの下流側に配置される原稿排紙手段と、前記プラテンから原稿をすくい上げて前記原稿排紙手段に向けて案内する傾斜ガイドとを備えた原稿読取装置において、前記プラテンと傾斜ガイドとの移行部分には原稿の浮き上がりを規制する原稿規制部材が配置され、この原稿規制部材が前記プラテン面に対する垂線と傾斜ガイド面に対する垂線とが交差することによってできる角度θの範囲内で前記移行部分に向けて押圧可能であることを特徴とする。
【発明の効果】
【００１１】
この発明によれば、原稿規制部材がプラテンと傾斜ガイドとの移行部分に対向した位置からずれて配置された場合にあっても、前記原稿規制部材がプラテン面に対する垂線と傾斜ガイド面に対する垂線とが交差することによってできる角度θの範囲内で押圧可能に設置することで、自然に前記移行部分に移動させることができる。これによって、前記傾斜ガイドの傾き角を調整した場合や設置誤差があった場合においても、搬送されてくる原稿が浮き上がったり、詰まったりすることなく前記移行部分において確実に規制され、スムーズに原稿給紙手段から原稿排紙手段に向けて搬送させることができる。
【発明を実施するための最良の形態】
【００１２】
以下、添付図面に基づいて本発明に係る原稿読取装置の実施形態を詳細に説明する。図１は本発明に係る原稿読取装置の全体構成を示す断面図であり、図２は前記原稿読取装置に備わる原稿搬送装置の要部断面図である。また、図３は前記原稿読取装置に対する原稿搬送装置の開閉構造を示す斜視図である。
【００１３】
本発明の原稿読取装置は、原稿読取装置本体Ｈと、この原稿読取装置本体Ｈの上部に取り付けられた原稿搬送装置Ａと、この原稿搬送装置Ａを前記原稿読取装置本体Ｈに対して開閉自在に支持するヒンジ装置Ｋとで構成されている。図１及び図３に示されるように、前記原稿読取装置本体Ｈの上面には、原稿搬送装置Ａによって搬送される原稿を読み取るためのプラテン１ａとブック物等の静止した原稿を読み取るためのプラテン１ｂとが設けられ、前記原稿搬送装置Ａは、原稿画像を読み取るための画像読取部６の上面を開閉可能するようにヒンジ装置Ｋによって取り付けられている。ヒンジ装置Ｋは、図３に示したように、原稿読取装置本体Ｈのリア側の所定間隔隔てた位置に２つ備えている。そして、このヒンジ装置Ｋは原稿搬送装置Ａを取り付ける際には、一方のヒンジ装置を固定し、他方のヒンジ装置の位置を移動させることによって原稿読取装置本体Ｈに対する原稿搬送装置Ａの取り付け位置を調整するように構成されている。
【００１４】
原稿読取装置本体Ｈに備わる画像読取部６は、図１に示した実施例では、プラテン１ａ上に搬送された原稿にランプ光を照射する光源２と、搬送されてくる原稿からの反射光を所定の方向に導く複数のミラー群３と、ミラー群３により導かれた反射光を収束するレンズ４と、レンズ４により収束された光を光電変換するＣＣＤ５とを備えており、プラテン１ａ上を通過する原稿の画像を逐次読み取ることができる。
【００１５】
原稿搬送装置Ａは、複数の原稿を載置する給紙トレイ１０と、この給紙トレイ１０から一枚ずつ繰り出された原稿を上述した原稿読取装置本体Ｈのプラテン１ａ上に搬送する搬送経路１１と、プラテン１ａ上を通過した原稿を収納する排紙トレイ１２とを備える。
【００１６】
前記搬送経路１１には、給紙トレイ１０からプラテン１ａを介して排紙トレイ１２に至るまで原稿を搬送するための手段として複数の搬送ローラが配設されている。これらの搬送ローラは、給紙トレイ１０から原稿を一枚ずつ繰り出すための繰出ローラ１３、繰り出された原稿を搬送経路１１に給紙するための第１給紙ローラ１４、プラテン１ａの上流側近傍に配置される第２給紙ローラ１５、プラテン１ａの下流側近傍に配置される第１排紙ローラ１６及び排紙トレイ１２の入口に配置される第２排紙ローラ１７とで構成されている。
【００１７】
図２に示したように、前記搬送経路１１は、原稿を屈曲させながら反転させて原稿読取位置２１に搬送する第１搬送経路１１ａと、原稿読取位置２１（詳しくはプラテン１ａの下方に配設された画像読取部６によって原稿がプラテン１ａ上を通過する際に原稿を読み取る位置）を通過した原稿を搬送する第２搬送経路１１ｂとを備える。
【００１８】
前記第１給紙ローラ１４から第２給紙ローラ１５を経てプラテン１ａに至る間の第１搬送経路１１ａは、給紙トレイ１０から繰り出された原稿がプラテン１ａ上にスムーズに送り込まれるよう湾曲状に形成されている。前記第１及び第２給紙ローラ１４，１５は、それぞれが第１搬送経路１１ａの内側に配置される駆動ローラ１４ａ、１５ａと、この駆動ローラに圧接される外側の従動ローラ１４ｂ，１５ｂとで構成されている。そして、前記第１及び第２給紙ローラ１４，１５によって搬送されてきた原稿は、上側ガイド板２５ａ及び下側ガイド板２６ａに案内されながらプラテン１ａ上に排出される。なお、図１には前記駆動ローラ１４ａ，１５ａを回転させるためのモータは省略されている。
【００１９】
一方、第２搬送経路１１ｂは、プラテン１ａの下流端から斜め上方に傾斜する上側ガイド板２５ｂと下側ガイド板２６ｂによって略直線状に形成されており、前記原稿読取位置２１を通過した原稿を前記第１排紙ローラ１６及び第２排紙ローラ１７によって排紙トレイ１２に搬送する。また、プラテン１ａのすぐ下流側にはプラテン１ａの原稿読取位置２１で読み取られた原稿の先端をすくい上げるようにして第２搬送経路１１ｂに導くためのすくい上げガイド部材（傾斜ガイド）２７が原稿読取装置本体Ｈの上面に配設されている。この傾斜ガイド２７には、プラテン１ａの下流端から前記下側ガイド板２６ｂに向けて連なるように傾斜する案内面２８が形成されており、原稿はこの案内面２８に沿って導かれる。
【００２０】
前記原稿読取位置２１の下流側には、原稿読取位置２１を通過した原稿を傾斜ガイド２７の案内面２８に沿ってすくい上げるための屈曲した移行部分に原稿規制部材（規制ローラ）３４ｂが設けられている。また、その詳細は後述するが、この規制ローラ３４ｂは、プラテン１ａの下流側端部と傾斜ガイド２７の上流側端部との前記移行部分（屈曲部）３２に向けた方向に付勢されているようにユニット化されたローラユニット３１が上側ガイド板２５ａ、２５ｂに取り付けられている。
【００２１】
図４及び図５は、前記ローラユニット３１の構成及びその取付構造の一例を示したものである。このローラユニット３１は、前記規制ローラ３４ｂと、この規制ローラ３４ｂの中心部を貫通し、規制ローラ３４ｂを回転自在に支持する支持手段としての回転軸３５と、この回転軸３５の端部３５ａ，３５ｂを屈曲部３２に向けて斜め方向から付勢する付勢手段としてのバネ３６と、前記回転軸３５の両端部に設けられて規制ローラ３４ｂよりも若干大きい直径のフランジ３４ａと、回転軸３５を支持し、バネ３６が取り付けられるホルダ３７とで構成される。なお、ホルダ３７、バネ３６、フランジ３４ａは回転軸３５の両端部３５ａ，３５ｂのそれぞれに同一な部材が配設されている。そして、このローラユニット３１は、図５に示されるように、回転軸３５の両端部３５ａ，３５ｂをそれぞれ支持するホルダ３７を上側ガイド板２５ａ、２５ｂの原稿の搬送方向と直交する幅方向の端部に取付ネジ３８を介して固定され、回転軸３５に支持される規制ローラ３４ｂの下端面が屈曲部３２に向けて突出するように配置される。また、図４に示されるように、ホルダ３７の軸受部３９は、回転軸３５の径よりも大きく形成されている。これによって、軸受部３９の径の範囲内で回転軸３５がバネ３６の付勢力によって遥動可能となる。また、後述するように、原稿搬送装置Ａの取り付け調整によって、規制ローラ３４ｂの原稿読取装置本体Ｈの上面への当接が屈曲部３２よりずれて配置された場合にあっても、原稿搬送装置Ａを原稿読取装置本体Ｈの上面に対して閉状態とすることで、規制ローラ３４ｂが自動的に屈曲部３２に対向する位置に位置付けされるように揺動する。なお、ホルダ３７にはバネ３６を支持するための凹部３７ａが形成されており、この凹部３７ａにバネ３６を取り付けることによって、バネ３６の付勢方向を規定している。また、フランジ３４ａは、規制ローラ３４ｂの回転軸３５に原稿搬送領域の外側の両端部にそれぞれ設けられ、原稿読取装置本体Ｈの上面に当接することによって、屈曲部３２と規制ローラ３４ｂとの間の僅かなギャップを形成させる。
【００２２】
図４に示したように、前記規制ローラ３４ｂは、回転軸３５がホルダ３７の軸受部３９に対して自由回転可能に支持されると共に、バネ３６による付勢方向が屈曲部３２に向かうように設定される。以下、前記バネ３６による付勢方向に関する詳細を図４に基づいて説明する。前述したように、原稿搬送装置Ａは、原稿読取装置本体Ｈの上面に開閉自在に取り付けられており、この原稿搬送装置Ａを原稿読取装置本体Ｈに取り付ける際には原稿搬送装置Ａの原稿搬送方向と原稿読取装置本体Ｈのプラテン１ａの読取ラインが直交するように調整する。実際には、原稿搬送装置Ａの取付調整や部品交差などによって、規制ローラ３４ｂが原稿読取装置本体Ｈのプラテン１ａと傾斜ガイド２７との屈曲部３２に対向した位置からずれる場合がある。そこで、規制ローラ３４ｂを前記屈曲部３２に対向した位置に移動させるためには、屈曲部３２に向けて規制ローラ３４ｂを付勢すればよい。
【００２３】
図６は前記規制ローラ３４ｂが原稿読取装置本体Ｈのプラテン１ａと傾斜ガイド２７との屈曲部３２に対向した位置からずれて配置された場合の作用を示したものである。図６に示されるように、屈曲部３２よりもプラテン１ａ側に規制ローラ３４ｂの位置がずれた場合（３４ｂ１）は、プラテン１ａの垂線ｈ１から左方向の角度θ１（９０°）から付勢すれば、規制ローラ３４ｂ１は屈曲部３２の方向ｆ１に移動することとなる。また、屈曲部３２よりも傾斜ガイド２７側に規制ローラ３４ｂの位置がずれた場合は、傾斜ガイド２７の案内面２８に対する垂線ｈ２から右方向の角度θ１（９０°）から付勢すれば、規制ローラ３４ｂは屈曲部３２の方向ｆ２に移動することとなる。本発明においては、規制ローラ３４ｂがプラテン１ａ側又は傾斜ガイド２７側のいずれの側にずれた場合にあっても、規制ローラ３４ｂを屈曲部３２に自動的に移動可能とするための前記傾き線Ｓ１，Ｓ２の所定角度θを規定した。その所定角度θは、屈曲部３２の傾斜角θ２によって決まる垂線ｈ２が垂線ｈ１側にそのまま水平方向に平行移動して交差したときのプラテン１ａ面に対する角度又は垂線ｈ１が垂線ｈ２側にそのまま水平方向に平行移動して交差したときの案内面２８に対する角度である。したがって、前記規制ローラ３４ｂは前記角度θの範囲内の方向から付勢するように設定される。なお、規制ローラ３４ｂの付勢方向は、そのバランスを考慮すると理想的には、規制ローラ３４ｂが屈曲部３２に対向する位置に位置決めされた際に屈曲部３２における傾斜角θ２の二等分線Ｆ上にあるのが望ましい。
【００２４】
次に、図７及び図８に基づいて、規制ローラ３４ｂの揺動動作について説明する。図７は、規制ローラ３４ｂが屈曲部３２の屈曲点３３から傾斜ガイド２７側に僅かにＬ１だけずれて設置された場合における揺動動作を示したものである。図７（ａ）は原稿搬送装置Ａを原稿読取装置本体Ｈの上面に対して閉状態になる直前の状態を示したものである。この状態においては、規制ローラ３４ｂが屈曲点３３から傾斜ガイド２７側に僅かにＬ１だけずれている。その後に原稿搬送装置Ａを更に下方に移動させると、先ずローラユニット３１のフランジ３４ａが傾斜ガイド２７の案内面２８に当接する。このとき、図７（ａ）に示すように、バネ３６は案内面２８の垂線ｈ２に対して下流側からフランジ３４ａ及び規制ローラ３４ｂの回転軸３５を図中の矢印Ｆ１の方向に付勢しているので、フランジ３４ａ及び規制ローラ３４ｂは案内面２８に沿って上流側に移動する。そして、図７（ｂ）に示されるように、上側ガイド板２５ａに設けられた規制部材２５ｃがプラテン１ａの上面に当接して原稿搬送装置Ａが原稿読取装置本体Ｈの上面に位置付けられる。この原稿搬送装置Ａが原稿読取装置本体Ｈの上面に位置付けられた状態（閉状態）において、図７（ｂ）に示しように、フランジ３４ａと規制ローラ３４ｂは屈曲部３２に対向した位置に位置付けられる。
【００２５】
一方、図８は、規制ローラ３４ｂが屈曲部３２の屈曲点３３からプラテン１ａ側に僅かにＬ２だけずれて設置された場合における揺動動作を示したものである。図８（ａ）では原稿搬送装置Ａを原稿読取装置本体Ｈの上面に対して閉状態になる直前の状態で、規制ローラ３４ｂが屈曲点３３からプラテン１ａ側に僅かにＬ２だけずれた状態となっている。この状態から原稿搬送装置Ａを下方に移動させると、ローラユニット３１のフランジ３４ａがプラテン１ａの上面に当接した後に、図８（ｂ）に示されるように、規制部材２５ｃがプラテン１ａの上面に当接して原稿搬送装置Ａが原稿読取装置本体Ｈの上面に位置付けられる。この過程において、図８（ａ）の矢印Ｆ２に示すように、回転軸３５がバネ３６によってプラテン１ａ上面の垂線ｈ１に対して上流側の方向から付勢されているので、フランジ３４ａがプラテン１ａの上面に当接すると、フランジ３４ａ及び規制ローラ３４ｂはプラテン１ａ面に沿って下流側に移動し、図８（ｂ）に示したように、フランジ３４ａと規制ローラ３４ｂは屈曲部３２に対向した位置に位置付けられる。
【００２６】
つまり、本実施例においては、図６に基づいて述べたように、角度θ内の方向から回転軸３５を付勢するようにバネ３６をホルダ３７に取り付け、原稿搬送装置Ａを下方に移動させて原稿読取装置本体Ｈの上面を閉状態にするだけで、自動的に規制ローラ３４ｂがプラテン１ａと傾斜ガイド２７との屈曲部３２に移動するように構成している。これによって、原稿読取装置本体Ｈに原稿搬送装置Ａを取り付ける際の取り付け公差や読取ラインに対する取付調整により屈曲部３２に対向する位置がずれたとしても、原稿搬送装置Ａを使用する際には屈曲部３２に対向する位置に移動するので、屈曲部３２における原稿経路が極めて小さく規制でき、良好な読み取り画像を得ることが可能となる。
【００２７】
上記実施の形態では、回転軸３５にフランジ３４ａを設け、規制ローラ３４ｂと屈曲部３２との間にギャップを形成するように構成したが、フランジ３４ａを設けることなく、規制ローラ３４ｂを屈曲部３２に当接するように構成してもよい。この場合、原稿への搬送負荷を低減するために、幅方向に複数配置されたローラを個別にローラユニット３１のホルダ３７に取り付け、個別に取り付けられたローラのそれぞれを付勢するバネを設けることが好ましい。勿論、このときの各バネの付勢方向は前述した角度θの範囲内とする。また、上記実施形態では、自由回転可能な規制ローラ３４ｂを用いた例を示した。この規制ローラ３４ｂによれば、原稿との摩擦係数を低く抑えられる点で最適であるが、規制ローラ３４ｂに換えて板状あるいは矩形状のガイドを用いてユニットを構成してもよい。
【００２８】
前述したローラユニット３１では、原稿読取位置２１の下流側であって、傾斜ガイド２７にかかる屈曲部３２に対向して配置ことによって、原稿の排出をスムーズし、原稿読取位置２１での読取ブレや歪みを防止することを目的とした。このローラユニット３１と併用して、図９に示すような第２のローラユニット４１を前記原稿読取位置２１の上流側の段差部４２にも設けることによって、原稿の後端が段差部４２にて落下する衝撃を抑えることができる。なお、図９に示したように、第２のローラユニット４１は、バネ４６による付勢方向が原稿読取位置２１の下流側のローラユニット３１のバネ３６の付勢方向と異なるように構成すればよい。
【図面の簡単な説明】
【００２９】
【図１】本発明に係る原稿読取装置の全体構成を示す断面図である。
【図２】上記原稿読取装置の要部拡大断面図である。
【図３】原稿読取装置に対する原稿搬送装置の開閉構造を示す斜視図である。
【図４】ローラユニットの構成を示す要部断面図である。
【図５】ローラユニットの構成を示す平面図である。
【図６】原稿規制部材の付勢方向（角度θ）を規定するための説明図である。
【図７】原稿規制部材の位置が傾斜ガイド側にずれた場合の作用を示す説明図である。
【図８】原稿規制部材の位置がプラテン側にずれた場合の作用を示す説明図である。
【図９】原稿読取位置の前段に給紙用のローラを追加配置して構成される原稿読取装置の要部断面図である。
【符号の説明】
【００３０】
Ｈ  原稿読取装置本体
Ａ  原稿搬送装置
Ｋ  ヒンジ装置
Ｐ  原稿
ｈ１，ｈ２  垂線
Ｓ１，Ｓ２  傾き線
θ，θ１  角度
θ２  傾斜角
１ａ  プラテン
１ｂ  プラテン
２  光源
３  ミラー群
４  レンズ
５  ＣＣＤ
６  画像読取部
１０  給紙トレイ
１１  搬送経路
１１ａ  第１搬送経路
１１ｂ  第２搬送経路
１２  排紙トレイ
１３  繰出ローラ
１４  第１給紙ローラ
１５  第２給紙ローラ
１６  第１排紙ローラ
１７  第２排紙ローラ
２１  原稿読取位置
２５ａ，２５ｂ  上側ガイド板
２５ｃ  規制部材
２６ａ，２６ｂ  下側ガイド板
２７  傾斜ガイド
２８  案内面
３１  ローラユニット
３２  屈曲部
３３  屈曲点
３４ａ  フランジ
３４ｂ  規制ローラ（原稿規制部材）
３５  回転軸
３５ａ，３５ｂ  端部
３６，４６  バネ
３７  ホルダ
３７ａ  凹部
３８  取付ネジ
３９  軸受部
４１  ローラユニット
４２  段差部
【図１】
2008054088.tif 000003
【図２】
2008054088.tif 000004
【図３】
2008054088.tif 000005
【図４】
2008054088.tif 000006
【図５】
2008054088.tif 000007
【図６】
2008054088.tif 000008
【図７】
2008054088.tif 000009
【図８】
2008054088.tif 000010
【図９】
2008054088.tif 000011